(57)【要約】【課題】正規の観察位置を簡単かつ正確に知ることができ、かつ安価で、既存のモニタにも容易に適用可能である。【解決手段】写真プリンタの仕上がり画像をシミュレート表示する表示パネル２と、表示パネル２を首振り自在に保持する支持部３とを有する写真プリンタのパネルモニタ１であって、表示パネル２に視野角調整ツール４を備え、視野角調整ツール４は、照準器４ａ１と、表示パネル２に対して観察者が正規観察位置で照準器４ａ１に合わせて見る視標である観察位置マーク４ａ２とを一体にした構成である。【選択図】図１  
2005292352.tif 000002
【特許請求の範囲】
【請求項１】
写真プリンタの仕上がり画像をシュミレート表示する表示パネルと、前記表示パネルを首振り自在に保持する支持部とを有する写真プリンタのパネルモニタに備える視野角調整ツールであって、
照準器と、
前記表示パネルに対して観察者が正規観察位置で前記照準器に合わせて見る視標である観察位置マークとを一体にした構成であることを特徴とするパネルモニタの視野角調整ツール。
【請求項２】
視野角の角度を調整する調整手段を有することを特徴とする請求項１に記載のパネルモニタの視野角調整ツール。
【請求項３】
前記照準器を管状の部品の前側孔形状で構成し、前記観察位置マークを前記管状の部品の後側孔形状で構成したことを特徴とする請求項１または請求項２に記載のパネルモニタの視野角調整ツール。
【請求項４】
前記照準器を棒状の部品の前側棒形状で構成し、前記観察位置マークを前記棒状の部品の後側棒形状で構成したことを特徴とする請求項１または請求項２に記載のパネルモニタの視野角調整ツール。
【請求項５】
前記照準器を板状の部品の前側壁形状で構成し、前記観察位置マークを前記板状の部品の後側壁形状で構成したことを特徴とする請求項１または請求項２に記載のパネルモニタの視野角調整ツール。
【請求項６】
写真プリンタの仕上がり画像をシュミレート表示する表示パネルと、前記表示パネルを首振り自在に保持する支持部とを有する写真プリンタのパネルモニタであって、
請求項１乃至請求項５のいずれか１項に記載のパネルモニタの視野角調整ツールを備えることを特徴とする写真プリンタのパネルモニタ。
【請求項７】
前記視野角調整ツールを、前記表示パネルの上部中央位置に備えることを特徴とする請求項６に記載の写真プリンタのパネルモニタ。
【請求項８】
前記視野角調整ツールを、前記表示パネルの側面に沿って備えることを特徴とする請求項６または請求項７に記載の写真プリンタのパネルモニタ。
【請求項９】
前記表示パネルが、液晶パネルであることを特徴とする請求項６乃至請求項８のいずれか１項に記載の写真プリンタのパネルモニタ。
【発明の詳細な説明】
【技術分野】
【０００１】
この発明は、写真プリンタの仕上がり画像をシュミレート表示する表示パネルの視野角を調整するパネルモニタの視野角調整ツール及び写真プリンタのパネルモニタに関するものである。
【背景技術】
【０００２】
従来、プリント位置にセットされた写真フィルムのコマに対して、写真プリントする前に、その位置確認や、コマの濃度や色を調べて補正するために、撮像手段とモニタとを設け、モニタを介してコマを観察することができるようにしたモニタ付き写真プリンタが知られている（例えば、特許文献１）。
【０００３】
このモニタには、カラー液晶パネルが用いられ、ＣＲＴのように奥行が長くなることがなくコンパクトであり、装置を小型化及びコンパクト化することができる他、低電圧動作・低消費電力等の利点もあるが、液晶パネルは表示コントラストが見る方向に依存しているため、視野角度が制約される。
【０００４】
したがって、パネル正面の正規観察位置からずれた位置で斜めに観察すると、色ずれ等がおこる不都合があるため、液晶パネルの正規観察位置を知ることができるようにした写真プリンタのパネルモニタが提案されている（例えば、特許文献２）。
【特許文献１】特開平１−２９８３３９号公報（第１頁〜第８頁、図１〜図１０）
【特許文献２】特開平６−８２９２７号公報（第１頁〜第６頁、図１〜図６）
【発明の開示】
【発明が解決しようとする課題】
【０００５】
しかし、特許文献２に記載の構成では、照準器と観察位置マークが別体であり、モニタ角度調整は上下左右の４方向となるために、モニタヘ簡単かつ精度よく取り付けることができない。
【０００６】
また、照準器と観察位置マークの位置関係は、モニタのサイズ、観察者とモニタの距離によって変わり、商品サイクルが比較的短いモニタにおいて、モニタの種類、モニタのサイズが変わると、照準器等を作り変える必要がある。
【０００７】
また、モニタの表示面から観察者の目までの距離は、機器の使用形態により異なり、例えば立ち作業、座り作業のそれぞれに合わせて照準器等を作りかえる必要があった。
【０００８】
この発明は、このような課題を解決するためのものであり、正規の観察位置を簡単かつ正確に知ることができ、かつ安価で、既存のモニタにも容易に適用可能なパネルモニタの視野角調整ツール及び写真プリンタのパネルモニタを提供することを目的としている。
【課題を解決するための手段】
【０００９】
前記課題を解決し、かつ目的を達成するために、この発明は、以下のように構成した。
【００１０】
請求項１に記載の発明は、写真プリンタの仕上がり画像をシュミレート表示する表示パネルと、前記表示パネルを首振り自在に保持する支持部とを有する写真プリンタのパネルモニタに備える視野角調整ツールであって、
照準器と、
前記表示パネルに対して観察者が正規観察位置で前記照準器に合わせて見る視標である観察位置マークとを一体にした構成であることを特徴とするパネルモニタの視野角調整ツールである。
【００１１】
請求項２に記載の発明は、視野角の角度を調整する調整手段を有することを特徴とする請求項１に記載のパネルモニタの視野角調整ツール。
【００１２】
請求項３に記載の発明は、前記照準器を管状の部品の前側孔形状で構成し、前記観察位置マークを前記管状の部品の後側孔形状で構成したことを特徴とする請求項１または請求項２に記載のパネルモニタの視野角調整ツールである。
【００１３】
請求項４に記載の発明は、前記照準器を棒状の部品の前側棒形状で構成し、前記観察位置マークを前記棒状の部品の後側棒形状で構成したことを特徴とする請求項１または請求項２に記載のパネルモニタの視野角調整ツールである。
【００１４】
請求項５に記載の発明は、前記照準器を板状の部品の前側壁形状で構成し、前記観察位置マークを前記板状の部品の後側壁形状で構成したことを特徴とする請求項１または請求項２に記載のパネルモニタの視野角調整ツールである。
【００１５】
請求項６に記載の発明は、写真プリンタの仕上がり画像をシュミレート表示する表示パネルと、前記表示パネルを首振り自在に保持する支持部とを有する写真プリンタのパネルモニタであって、
請求項１乃至請求項５のいずれか１項に記載のパネルモニタの視野角調整ツールを備えることを特徴とする写真プリンタのパネルモニタである。
【００１６】
請求項７に記載の発明は、前記視野角調整ツールを、前記表示パネルの上部中央位置に備えることを特徴とする請求項６に記載の写真プリンタのパネルモニタである。
【００１７】
請求項８に記載の発明は、前記視野角調整ツールを、前記表示パネルの側面に沿って備えることを特徴とする請求項６または請求項７に記載の写真プリンタのパネルモニタである。
【００１８】
請求項９に記載の発明は、前記表示パネルが、液晶パネルであることを特徴とする請求項６乃至請求項８のいずれか１項に記載の写真プリンタのパネルモニタである。
【発明の効果】
【００１９】
前記構成により、この発明は、以下のような効果を有する。
【００２０】
請求項１に記載の発明によれば、照準器と、表示パネルに対して観察者が正規観察位置で照準器に合わせて見る視標である観察位置マークとを一体にした構成であり、照準器と観察位置マークの位置調整が不要であり、安価で、既存の幅広い汎用製品にも容易に、かつ精度良く取り付けることができる。
【００２１】
請求項２に記載の発明によれば、視野角の角度を調整する調整手段を有し、視野角調整ツールを表示パネルに取り付けた後でも、視野角の角度を調整することができる。
【００２２】
請求項３に記載の発明によれば、照準器を管状の部品の前側孔形状で構成し、観察位置マークを管状の部品の後側孔形状で構成し、管状の部品を用いる簡単な構造で一体化することができる。
【００２３】
請求項４に記載の発明によれば、照準器を棒状の部品の前側棒形状で構成し、観察位置マークを棒状の部品の後側棒形状で構成し、棒状の部品を用いる簡単な構造で一体化することができる。
【００２４】
請求項５に記載の発明によれば、照準器を板状の部品の前側壁形状で構成し、観察位置マークを板状の部品の後側壁形状で構成し、板状の部品を用いる簡単な構造で一体化することができる。
【００２５】
請求項６に記載の発明によれば、表示パネルに視野角調整ツールを備え、この視野角調整ツールが照準器と観察位置マークとを一体にした構成であり、照準器と観察位置マークの位置調整が不要であり、安価で、既存の幅広い汎用製品にも容易に、かつ精度良く取り付けることができる。
【００２６】
請求項７に記載の発明によれば、視野角調整ツールを表示パネルの上部中央位置に備えることで、表示パネルの角度を調整して正規の観察位置を簡単かつ正確に知ることができる。
【００２７】
請求項８に記載の発明によれば、視野角調整ツールを表示パネルの側面に沿って備えることで、視野角調整ツールが表示パネルの表示面側を覆うことがなく、作業者の視界の妨げとなることがない。
【００２８】
請求項９に記載の発明によれば、液晶パネルの色ずれ等がおこる不都合がなく、液晶パネルの正規観察位置を容易に知ることができる。
【発明を実施するための最良の形態】
【００２９】
以下、この発明のパネルモニタの視野角調整ツール及び写真プリンタのパネルモニタの実施の形態について説明するが、この発明は、この実施の形態に限定されない。また、この発明の実施の形態は、発明の最も好ましい形態を示すものであり、この発明の用語はこれに限定されない。
【００３０】
図１は視野角調整ツールを備える写真プリンタのパネルモニタの斜視図、図２は視野角調整ツールを備える写真プリンタのパネルモニタの側面図、図３は視野角調整ツールの取付状態を示す図、図４は視野角調整ツールの前側から見た斜視図、図５は視野角調整ツールを後側から見た斜視図、図６は視野角調整ツールの角度調整を示す図である。
【００３１】
この実施の形態の写真プリンタのパネルモニタ１は、図１及び図２に示すように、表示パネル２と、支持部３と、視野角調整ツール４とを備える。表示パネル２は、カラー液晶パネル２ａと、パネル枠２ｂとを有し、カラー液晶パネル２ａに写真プリンタの仕上がり画像をシュミレート表示する。この表示パネル２は液晶パネルで構成されるが、これに限定されず、視野角の狭いパネルにも適用される。
【００３２】
支持部３は、支持台３ａと、支柱部３ｂとを有する。この支柱部３ｂの上部には、図２に示すように、保持受け部３ｃが設けられている。この保持受け部３ｃには、表示パネル２の裏側のボール状係合部２ｃが係合され、表示パネル２が首振り自在に保持されている。このような保持受け部３ｃと、ボール状係合部２ｃとの他に、周知の首振り自在な他の保持手段を用いてもよい。
【００３３】
この視野角調整ツール４は、図４及び図５に示すように、管状の部品４ａと、取付台４ｂと、調整手段４ｃとを有する。視野角調整ツール４は、管状の部品４ａを用い、照準器４ａ１と観察位置マーク４ａ２とを一体にした構成である。観察位置マーク４ａ２は、表示パネルであるカラー液晶パネル２ａに対して観察者が正規観察位置で照準器に合わせて見る視標である。即ち、照準器４ａ１を管状の部品４ａの前側孔形状で構成し、観察位置マーク４ａ２を管状の部品４ａの後側孔形状で構成している。
【００３４】
調整手段４ｃは、支持ピン４ｃ１と、位置決めピン４ｃ２と、支持レバー４ｃ３、支持ピン４ｃ４から構成される。管状の部品４ａの前側が、取付台４ｂに支持ピン４ｃ１を支点に回動可能に支持され、後側に設けた複数個の位置決めピン４ｃ２に支持レバー４ｃ３を係合し、この支持レバー４ｃ３は、取付台４ｂに支持ピン４ｃ４を支点に回動可能に支持されている。
【００３５】
調整手段４ｃは、複数個の位置決めピン４ｃ２から選択して支持レバー４ｃ３を係合して支持することで、視野角調整ツール４は、視野角の角度を調整を行なうことができる。このように、調整手段４ｃにより、モニタのサイズ、設置位置（カラー液晶パネル２ａの面と観察者の目の位置）に合わせて最適角度に調整することが可能であり、幅広い汎用製品に取り付け可能である。
【００３６】
また、取付台４ｂは、取付面４ｂ１を有し、この取付面４ｂ１側に視線方向に垂直な壁４ｂ２が形成されている。この視野角調整ツール４は、図６に示すように、取付台４ｂの取付面４ｂ１に両面テープ５を接着し、視線方向に垂直な壁４ｂ２をパネル枠２ｂの前側面２ｂ１に当接して位置決めし、パネル枠２ｂの上側面２ｂ２に両面テープ５を接着して取り付ける。このように、視野角調整ツール４は、視線方向に垂直な壁４ｂ２を設けることにより、パネル枠２ｂに視野角調整ツール４を貼り付ける際、視線方向に垂直な壁４ｂ２の壁面をパネル枠２ｂに当て付け、カラー液晶パネル２ａに対し容易に垂直を出すことができる。
【００３７】
この視野角調整ツール４は、図１及び図３に示すように、表示パネル２の上部中央位置に備えられている。また、視野角調整ツール４は、図１乃至図３に示すように、表示パネル２の側面に沿って備えられている。
【００３８】
次に、この発明の写真プリンタのパネルモニタの作用について説明する。写真プリントを行う場合には、まず、所定の作業位置に座り、その後、表示パネル２を首振りさせて、視野角調整ツール４の照準器４ａ１と観察位置マーク４ａ２とが一致するように位置決めする。この位置決め状態では、図２に示すように、観察者６が表示パネル２のカラー液晶パネル２ａの正面に向かった状態になり、最適な状態でカラー液晶パネル２ａを観察することができる。したがって、斜めからカラー液晶パネル２ａの表示画面を観察することがなく、色ずれ等がなく正確なポジ検定を行うことができる。この作業により、オペレータが変わっても、パネルモニタを見る角度を一定に保つことができる。
【００３９】
このように、表示パネル２に視野角調整ツール４を備え、この視野角調整ツール４が照準器４ａ１と観察位置マーク４ａ２とを一体にした構成である。このように、視野角調整ツール４によって照準器４ａ１と観察位置マーク４ａ２の位置が決定されており、照準器４ａ１と観察位置マーク４ａ２との間の位置調整が不要であり、設置時の精度を必要としない。この視野角調整ツール４は、安価で、既存の幅広い汎用製品にも容易に、かつ精度良く取り付けることができる。
【００４０】
また、視野角調整ツール４を表示パネル２の上部中央位置に備えることで、表示パネル２の角度を調整して正規の観察位置を簡単かつ正確に知ることができる。
【００４１】
また、視野角調整ツール４を表示パネル２の側面に沿って備えることで、視野角調整ツール４が表示パネル２の表示面側を覆うことがなく、作業者の視界の妨げとなることがない。
【００４２】
また、視野角調整ツール４を、調整手段４ｃによって表示パネル２に取り付けた後でも、視野角の角度を調整することができる。
【００４３】
次に、視野角調整ツール４の他の実施の形態を、図７乃至図９に示す。
【００４４】
図７に示す実施の形態の視野角調整ツール４は、棒状の部品８ａ、取付台８ｂとを有する。視野角調整ツール４は、棒状の部品８ａを用い、照準器８ａ１と観察位置マーク８ａ２とを一体にした構成である。即ち、照準器８ａ１を棒状の部品８ａの前側棒形状で構成し、観察位置マーク８ａ２を棒状の部品８ａの後側棒形状で構成している。取付台８ｂは、取付面８ｂ１を有し、この取付面８ｂ１側に視線方向に垂直な壁８ｂ２が形成されている。
【００４５】
図８及び図９に示す実施の形態の視野角調整ツール４は、板状の部品９を用い、この板状の部品９は、前側壁９ａと、後側壁９ｂと、取付壁９ｃとを有し、照準器９ａ１と観察位置マーク９ｂ１とを一体にした構成である。即ち、照準器９ａ１を板状の部品９の前側壁形状で構成し、観察位置マーク９ｂ１を板状の部品９の後側壁形状で構成している。
【００４６】
図８の実施の形態では、照準器９ａ１を板状の部品９の前側壁９ａに形成した円形孔形状で構成し、観察位置マーク９ｂ１を板状の部品９の後側壁９ｂの円形孔形状で構成しているが、図９の実施の形態では、照準器９ａ１を板状の部品９の前側壁９ａの円形形状で構成し、観察位置マーク９ｂ１を板状の部品９の後側壁９ｂの円形孔形状で構成している。
【産業上の利用可能性】
【００４７】
この発明は、写真プリンタの仕上がり画像をシュミレート表示する表示パネルの視野角を調整する視野角調整ツールと、表示パネルを首振り自在に保持する写真プリンタのパネルモニタに適用できる。
【図面の簡単な説明】
【００４８】
【図１】視野角調整ツールを備える写真プリンタのパネルモニタの斜視図である。
【図２】視野角調整ツールを備える写真プリンタのパネルモニタの側面図である。
【図３】視野角調整ツールの取付状態を示す図である。
【図４】視野角調整ツールの前側から見た斜視図である。
【図５】視野角調整ツールを後側から見た斜視図である。
【図６】視野角調整ツールの角度調整を示す図である。
【図７】視野角調整ツールの前側から見た他の実施の形態の斜視図である。
【図８】視野角調整ツールの前側から見た他の実施の形態の斜視図である。
【図９】視野角調整ツールの前側から見た他の実施の形態の斜視図である。
【符号の説明】
【００４９】
１  写真プリンタのパネルモニタ
２  表示パネル
２ａ  カラー液晶パネル
２ｂ  パネル枠
３  支持部
３ａ  支持台
３ｂ  支柱部
３ｃ  保持受け部
４  視野角調整ツール
４ａ１  照準器
４ａ２  観察位置マーク
【図１】
2005292352.tif 000003
【図２】
2005292352.tif 000004
【図３】
2005292352.tif 000005
【図４】
2005292352.tif 000006
【図５】
2005292352.tif 000007
【図６】
2005292352.tif 000008
【図７】
2005292352.tif 000009
【図８】
2005292352.tif 000010
【図９】
2005292352.tif 000011